(57)【特許請求の範囲】
【請求項１】
内容物の充填空間を形成し、その先端部に注出口を有する筒体と、前記充填空間内にスライド可能に配置されたピストンと、前記ピストンを押圧して前記充填空間内の内容物を前記注出口を通して排出する押圧部材とを備えた注出器であって、
前記押圧部材が、前記ピストンの背面部に連係する先端部を有し前記筒体の軸心に向きに係止突起を複数配列したロッドと、このロッドを先端部を残して取り囲むとともに後端部に押し込みヘッドを形成したスリーブと、前記筒体内に配され前記スリーブを前記筒体の末端側へ付勢する弾性支持部材とを備え、
前記スリーブの先端に、該スリーブの押し込み時に前記ロッドの係止突起に連係して前記ロッドを前記ピストンとともに前記注出口へ向けて押圧するが、該スリーブの初期姿勢への復帰に際しては弾性変形により前記ロッドの係止突起とは非連係となる爪部を設け、
前記筒体の末端部に、前記スリーブの押し込みヘッドを内側に納める凹所を有し、弱化部を介して引きちぎり可能に一体連結するカバーキャップを設けたことを特徴とする注出器。
【請求項２】
前記スリーブは、その先端部に、弾性変形により先端開口を拡大する少なくとも一本のスリットまたは薄肉部を有する、請求項１記載の注出器。
【発明の詳細な説明】
【技術分野】
【０００１】
本発明は、内容物を一回で使い切る際に使用して好適な注出器に関するものであり、構造の簡素化を図りつつも、内容物の誤った注出あるいは不正な注出を確実に防止しようとするものである。
【背景技術】
【０００２】
比較的粘度が高く流動性のないものを内容物とする化粧品等において使用される一回で使い切るカートリッジタイプの容器が数多く存在しており、この種の容器としては、内容物を充填する容器体内に押圧板を配置し、この押圧板を押し釦により押し込むことで内容物を注出する構造のものが知られている（例えば、特許文献１参照）。
【０００３】
ところで、従来の注出器にあっては、容器を構成する部材が比較的多く、構造の複雑化が避けられないばかりか効率的な組み立てが行えない不具合があるとともに、とくに不正な開封が行われたとしても押し釦がばね部材によって自動的に初期姿勢に復帰するものにあっては容器体が透明あるいは半透明体にて構成されていない限りその確認ができないところに改善の余地が残されていた。
【先行技術文献】
【特許文献】
【０００４】
【特許文献１】特開２００１−１１４３５５号公報
【発明の概要】
【発明が解決しようとする課題】
【０００５】
本発明の課題は、構造の簡素化が可能であり、かつ、不正な開封が行われたかどうか目視でもって確認できるバージンタイプの注出器を提案するところにある。
【課題を解決するための手段】
【０００６】
本発明は、内容物の充填空間を形成しその先端部に注出口を有する筒体と、前記充填空間内にスライド可能に配置されたピストンと、前記ピストンを押圧して前記充填空間内の内容物を前記注出口を通して排出する押圧部材とを備えた注出器であって、
前記押圧部材が、前記ピストンの背面部に当接する先端部を有し前記筒体の軸心に沿う向きに係止突起を複数配列したロッドと、このロッドを先端部を残して取り囲むとともに後端部に押し込みヘッドを形成したスリーブと、前記筒体内に配され前記スリーブを前記筒体の末端側へ付勢する弾性支持部材とを備え、
前記スリーブの先端に、該スリーブの押し込み時に前記ロッドの係止突起に連係して前記ロッドを前記ピストンとともに前記注出口へ向けて押圧するが、該スリーブの初期姿勢への復帰に際しては弾性変形により前記ロッドの係止突起とは非連係となる爪部を設け、
前記筒体の末端部に、前記スリーブの押し込みヘッドを内側に納める凹所を有し、弱化部を介して引きちぎり可能に一体連結するカバーキャップを設けたことを特徴とする注出器である。
【０００７】
スリーブの先端部には、弾性変形により先端開口の拡大を可能とする少なくとも一本のスリット、それも、スリーブの軸心に沿う向きに切り込まれたスリットを形成しておくか、あるいは薄肉部を形成しておくのが好ましい。
【発明の効果】
【０００８】
カバーキャップを引きちぎってスリーブの押し込みヘッドを露出させなければ内容物を排出することができないので、カバーキャップが取り外されていない限り不正な開封が行われていないことがわかる。
【０００９】
構成部材は、大きく分けて、注出器の本体部分をなす筒体と、注出口を形成するノズルチップと、内容物を押し出すためのピストンと、ピストンを押し込むための押圧部材と、ノズルチップの開孔を閉塞する蓋体の５部材ですむため構造の簡素化が可能となる。
【００１０】
内容物の排出を途中でやめると、ヘッドは弾性支持部材の付勢力によって初期姿勢へと復帰することになるが、ロッド及びピストンは、そのままの位置におかれるため、小出し注出が可能であり、内容物の出しすぎを回避することができる。
【図面の簡単な説明】
【００１１】
【図１】本発明にしたがう注出器の実施の形態を示した図である。
【図２】（ａ）（ｂ）は図１に示した注出器の要部の外観斜視図であり、（ａ）は弾性変形前の状態を示した図であり、（ｂ）は弾性変形している状態を示した図である。
【図３】図１に示した注出器の使用状態を示した図である。
【発明を実施するための最良の形態】
【００１２】
以下、図面を参照して本発明をより具体的に説明する。
図１は、本発明にしたがう注出器の実施の形態を示した図である。
【００１３】
図における符号１は、前後にそれぞれ開放端を有し、その内側に内容物の充填空間Ｍを形成する筒体である。この筒体１は、その本体部分をなす大径筒部１ａと、この大径筒部１ａの先端に一体的に設けられた小径筒部１ｂからなり、大径筒部１ａの後端部域には指掛け部を形成するためのフィンあるいはフランジを設けることができる。また、２は筒体１の充填空間M内にてスライド可能に配置されたピストンである。ピストン２は、筒体１の内周壁部１ａにおいて摺動可能に当接するシール部が形成されたピストン本体２ａと、このピストン本体２ａの背面に一体連結してその内側に凹所を形成する周壁２ｂから構成されている。
【００１４】
また、３は、筒体１の小径筒部１の開口端に嵌合保持され、ピストン２によって押圧された内容物を排出するノズルチップである。このノズルチップ３によって内容物を注出する注出口を形成している。４は、ピストン２を押圧して充填空間Ｍ内の内容物をノズルチップ３の開孔を通して排出する押圧部材である。
【００１５】
押圧部材４は、ピストン２の背面部で周壁２ｂによって形成された凹所に抜け出し不能に入り込で連係するディスク状の先端部４ａを有し、筒体１の軸心Ｌに沿う向きに鋸刃状の係止突起ｔが複数配列されたロッド４ｂと、このロッド４ｂを先端部４ａを残して取り囲む図２（ａ）（ｂ）に示すような先端先すぼまり状のスリーブ４ｃと、このスリーブ４ｃを筒体１内でその末端部に向けて付勢するスプリングの如き弾性支持部材４ｄとから構成されており、該スリーブ４ｃの後端部には、該後端部に一体連結し筒体１の末端部から突出する押し込みヘッド４ｅが形成されている。ここに、鋸刃状の係止突起ｔは、先端部４ａ側において傾斜面を有し、後端部側においてはロッド４ｂの軸心Ｌ1（筒体１の軸心Ｌと同じ。）に直交する垂直面を有する断面三角形状ものが適用され、弾性支持部材４ｄとしては、弾性支持部材本体（合成樹脂製のスプリング等）４ｄ1の上端にスリーブ４ｃの外表面に嵌合するリング４ｄ2が設けられており、下端に筒体１の内側壁部に嵌合するリング４ｄ3が設けられたものが適用される。係止突起ｔは、ロッド４ｂの周りに間隔をおいて複数設けてもよいし、環状体として設けてもよい。
【００１６】
５は、スリーブ４ｃの先端開口（先端開口の径はスリーブ４ｃの径よりも若干小さく設定されている。）に形成された爪部である。この爪部５は、図２（ａ）（ｂ）に示すように係止突起ｔの傾斜面と同等の傾斜面５ａと、係止突起ｔの垂直面と同等の垂直面５ｂを有している。６は、スリーブ４ｃの先端部寄りの周壁の対向位置に設けられた一対のスリットである。このスリット６は、ロッド４ｂの軸心Ｌ1に沿って成形され、スリーブ４ｃの先端開口で開放される切込み端６ａを有しており、爪部５が係止突起ｔの傾斜面５ａに沿って滑動する際に図２（ｂ）に示すように、該スリット６の行き止まり端６ｂを起点にしてスリーブ４ｃの先端部域の周壁を弾性変形させて該先端開口を拡大することができるようになっている。スリット６の代わりに薄肉部を設けて周壁を弾性変形させてもよい。
【００１７】
さらに、７は、筒体１の末端部に設けられたカバーキャップである。このカバーキャップ７は、天板７ａと、この天板７ａの縁部に一体連結して下向きに開放された凹所を形成する周壁７ｂと、この周壁７ｂの外側下端部において一体的に設けられ、筒体１の末端に当接する位置決め用のフランジ部７ｃからなっており、該周壁７ｂの下端部が筒体１の末端部の内側壁部でアンダーカット如き係合手段にて嵌合保持されている。８は、フランジ部７ｃとカバーキャップ７の周壁７ｂとを複数個所において切り離し可能に連結する連結片である。フランジ部７ｃと周壁７ｂとの間には環状溝部を設けてその部位の肉厚を薄くして該フランジ部７ｃと周壁７ｂとの切り離しを可能とする弱化部を形成してもよい。９は、筒体１の小径筒部１ｂに嵌合保持され、ノズルチップ３の開孔を閉塞するキャップ、１０、１１は、スリーブ４ｃの上部外表面に間隔をおいて設けられたディスクである。ディスク１０は、その先端縁部１０ａが筒体１の内側壁部に近接しており、ディスク１１はその先端縁部１１ａがカバーキャップ７の周壁７ａの下端部における内側壁部に近接しており、これらディスク１０、１１は、該スリーブ４ｃの筒体１内での起立姿勢を維持するガイドとして機能する。
【００１８】
上記の構成からなる注出器において、使用前（開封前）は、図１に示すように筒体１の末端部には、カバーキャップ７が取り付けられた状態にあるので、不正な開封がなされていないことが一目で分かる。
【００１９】
かかる注出器において、充填空間Ｍ内の内容物を排出するには、まず、カバーキャップ７を弱化部を形成する環状溝部８から引きちぎって押し込みヘッド４ｅを露出させるとともにキャップ９を取り外し、フィン１ｃに指を掛けて図３に示すように押し込みヘッド４ｅをノズルチップ３に向けて押し込めばよい。そうすると、これによりピストン２が押圧され充填空間Ｍ内の内容物がノズルチップ３の開孔を通して排出される。
【００２０】
例えば、内容物の排出途中で押し込みヘッド４ｅの押し込みを一旦停止すべく押し込みにかかる力を取除くと、スリーブ４ｃは弾性支持部材４ｄにて筒体１の末端部に向けて付勢されているため、初期姿勢へと復帰することになる。このとき爪部５は係止突起ｔの傾斜面に沿って滑動して容易に該係止突起ｔを乗り越える（スリット６が設けられたスリーブ４ｃの先端部域の周壁が図２（ｂ）に示した如く行き止まり端６ｂを基点にして弾性変形して先端開口が拡大される。）ことになり（この状態を非連係という。）、ピストン２及びロッド４ｂはその部位に置き去りにされたままになる。押し込みヘッド４ｅに再度押し込み力を付加すると、爪部５は、その垂直面５ｂが係止突起ｔの垂直面に突き当り（この状態を連係という。）、ピストン２はロッド４ｂによって再度押圧され充填空間Ｍ内に残存した内容物が引き続き排出される。
【００２１】
本発明にしたがう注出器は、基本的には、一回の押し込みでもって内容物を排出する一回使い切りタイプのものであるが、押し込みヘッド４ｅの押し込みを複数回に分けて繰り返すことにより内容物の出しすぎを防止することが可能であり、とくに内容物を適性量排出するのに有用となる。
【００２２】
注出器の構成部材は、全て合成樹脂にて構成することができる。
【００２３】
スリット６はスリーブ４ｃの周壁対向位置に二本設けた場合について示したが、該スリット６の本数はとくに限定されない。
【００２４】
弾性支持部材４ｄを構成するリング４ｄ2、４ｄ3の設置位置（スリーブ４ｃの外表面、筒体１の内側壁部）には、その位置ずれ防止のための段差部Ｃ1、Ｃ2を設けておくのがよい。
【００２５】
キャップ９に関しては、天板９ａとこれに一体連結する内外二重の筒体９ｂ、９ｃからなるものとしてその内側の筒体９ｂにて筒体１の小径筒部１ｂにアンダーカット係合させる例を示したが、該キャップ９はねじによって係合させてもよく、この点についても限定されることはない。
【産業上の利用可能性】
【００２６】
不正な開封がなされたかどうか一目で見極めることが可能であり、かつ構造の簡素化された一回使い切りタイプの注出器が提供できる。
【符号の説明】
【００２７】
１      筒体
１ａ    大径筒部
１ｂ    小径筒部
１ｃ    フィン
２      ピストン
２ａ    ピストン本体
２ｂ    周壁
３      ノズルチップ
４      押圧部材
４ａ    先端部
４ｂ    ロッド
４ｃ    スリーブ
４ｄ    弾性支持部材
４ｅ    押し込みヘッド
５      爪部
５ａ    傾斜面
５ｂ    垂直面
６      スリット
６ａ    切り込み端
６ｂ    行き止まり端
７      カバーキャップ
７ａ    天板
７ｂ    周壁
７ｃ    フランジ部
８      環状溝部
９      キャップ
９ａ    天板
９ｂ    筒体
９ｃ    筒体
１０    ディスク
１０ａ  先端縁部
１１    ディスク
１１ａ  先端縁部
Ｍ      充填空間
ｔ      係止突起
Ｌ      軸心
Ｌ１      軸心
Ｃ１      段差部
Ｃ２      段差部
【図１】
0005431266.tif 000002
【図２】
0005431266.tif 000003
【図３】
0005431266.tif 000004